(57)【要約】【課題】特定の有形物の置物としての価値を保持したまま、投入口や取り出し口を形成し、他の家電要素も付加した構成とし、趣味的要素も加味した貯金箱を提供する。【解決手段】飛行機を模した形態の容器とした。風防２が開閉可能に取り付けられた操縦室３を中空体の胴体部の前方に設ける。前記操縦室３の後方で前記胴体部が分割され、後方胴体部４が上方へ回動して開口すると共に、前後に分割された各胴体部の開口端部近傍に係脱可能にロック手段５を下設する。後方胴体部４に着脱可能に立設したアンテナ支柱６と垂直尾翼７との間にアンテナ８を係脱可能に連係する。胴体部の前面に時計９を装着した。【選択図】  図１
0003186987.tif 000002
【実用新案登録請求の範囲】
【請求項１】
飛行機を模した形態の容器であって、風防が開閉可能に取り付けられた操縦室を中空体の胴体部の前方に設け、前記操縦室の後方において前記胴体部が分割され、後方胴体部が上方へ回動して開口すると共に、前後に分割された各胴体部の開口端部近傍に係脱可能にロック手段が下設されていること、後方胴体部に着脱可能に立設したアンテナ支柱と垂直尾翼との間にアンテナを係脱可能に連係したこと、胴体部の前面に時計を装着したことを特徴とする貯金箱。
【請求項２】
風防が尾翼側に設けた連結軸で開閉可能に取り付けられ、上方へ回動した開口部から貨幣を操縦室へ投入することを特徴とする請求項１に記載の貯金箱。
【請求項３】
前方側の胴体部に垂設した回転軸に螺合するロック用ボルトが水平方向に回動すると共に、後方胴体部の垂下片の横溝に嵌脱すること、前記横溝に嵌合した前記ロック用ボルトを締め付けて前記垂下片を押圧固定してロックすることを特徴とする請求項１または２に記載の貯金箱。
【請求項４】
アンテナの一端の垂下端がアンテナ支柱の中空孔に、他端が垂直尾翼の前方端面の挿入孔に係脱可能に連係されていることを特徴とする請求項１乃至３のいずれか一項に記載の貯金箱。
【請求項５】
時計の文字盤が円形であって、直径の長さを有する秒針の中央を回転軸としたことを特徴とする請求項１乃至４のいずれか一項に記載の貯金箱。
【請求項６】
前面に扇風機の羽根を装着したことを特徴とする請求項１乃５のいずれか一項に記載の貯金箱。
【考案の詳細な説明】
【技術分野】
【０００１】
本考案は貯金箱に関するものであり、詳しくは置物としての実用性を有し、且つ趣味的要素も満足させる貯金箱に関する。
【背景技術】
【０００２】
従来、例えば時計と貯金箱を組み合わせたものとして、実開昭６４‐１７４８７号公報や実用新案登録第３１２８１９９号公報があり、共に、目覚まし時計機能を有する貯金箱であって、目覚まし機能が作動すると、貯金箱に備えられたコイン投入口にコインが投入されるまで、目覚まし機能を作動させ続けるようにした貯金箱が開示されている。
【０００３】
上記の各貯金箱は、時計の目覚まし機能と貯金とを関連付け、目覚し機能が充分に発揮させて確実に目覚めを促すものであり、時計の補助的な機構として貯金箱と連係した構成としている。
【先行技術文献】
【特許文献】
【０００４】
【特許文献１】実開昭６４‐１７４８７号公報
【特許文献２】実用新案登録第３１２８１９９号公報
【考案の概要】
【考案が解決しようとする課題】
【０００５】
そこで、本考案は貯金箱を主としたものであり、特定の有形物の置物としての価値を保持したまま、投入口や取り出し口を形成し、他の家電要素も付加した構成とし、趣味的要素も加味した貯金箱を提供することを目的とするものである。
【課題を解決するための手段】
【０００６】
本考案の請求項１の貯金箱は、飛行機を模した形態の容器であって、風防が開閉可能に取り付けられた操縦室を中空体の胴体部の前方に設け、前記操縦室の後方において前記胴体部が分割され、後方胴体部が上方へ回動して開口すると共に、前後に分割された各胴体部の開口端部近傍に係脱可能にロック手段が下設されていること、後方胴体部に着脱可能に立設したアンテナ支柱と垂直尾翼との間にアンテナを係脱可能に連係したこと、胴体部の前面に時計を装着したことを特徴とするものである。
【０００７】
請求項２の貯金箱の考案は、請求項１に記載の貯金箱において、風防が尾翼側に設けた連結軸で開閉可能に取り付けられ、上方へ回動して開いて貨幣を操縦室へ投入することを特徴とするものである。
【０００８】
請求項３の貯金箱の考案は、請求項１または２に記載の貯金箱において、前方胴体部に回転可能に垂設した軸に螺合するロック用ボルトが水平方向に回動すること、後方胴体部の垂下片の横溝に嵌脱すること、前記横溝に嵌合した前記ロック用ボルトを締め付けて前記垂下片を押圧固定してロックすることを特徴とするものである。
【０００９】
請求項４の貯金箱の考案は、請求項１乃至３のいずれか一項に記載の貯金箱において、アンテナの一端の垂下端がアンテナ支柱の中空孔に、他端が垂直尾翼の前方端面の挿入孔に係脱可能に連係されていることを特徴とするものである。
【００１０】
請求項５の貯金箱の考案は、請求項１乃至４のいずれか一項に記載の貯金箱において、時計の文字盤が円形であって、直径長さを有する秒針の中央を回転軸としたことを特徴とするものである。
【００１１】
請求項６の貯金箱の考案は、請求項１乃至５のいずれか一項に記載の貯金箱において、前面に扇風機の羽根を装着したことを特徴とするものである。
【考案の効果】
【００１２】
請求項１の貯金箱の考案は、飛行機を模した形態の容器であって、風防が開閉可能に取り付けられた操縦室と中空体の胴体部とが一体と成っているため、開口した風防からコイン等を操縦室へ投入可能であり、内部の空洞部にコイン等を貯留することができる効果を有する。
また、飛行機の置物としての展示効果も発揮する。
【００１３】
また、前記操縦室の後方において前記胴体部が分割され、後方胴体部が上方へ回動して開口するため、この開口部分からコイン等を回収できる効果を有し、前後の分割された各胴体部の開口端部近傍に係脱可能にロック手段が下設されているため、必要時にのみ開口することができるものとなる。
【００１４】
そして、後方胴体部に着脱可能に立設したアンテナ支柱と垂直尾翼との間に、アンテナを係脱可能に連係したことで、アンテナ支柱とアンテナを取り外し、後方胴体部を回動して前方側の胴体部に重ね置いて完全に開口することが可能と成るものである。
【００１５】
さらに、飛行機の置物としての趣味的効果も有し、胴体部の前面にプロペラを連想させる時計を装着したことで、展示効果を高めるものとなる。
【００１６】
請求項２の考案の貯金箱は、請求項１の貯金箱の効果に加えて、風防が尾翼側に設けた連結軸で開閉可能に取り付けられ、上方へ回動して開口部から貨幣を操縦室へ投入できるため、通常は風防の重さで閉じられており、開口が容易であると共に、回動した風防が前記アンテナ支柱に寄りかかって支持される効果も有する。
【００１７】
請求項３の考案の貯金箱は、請求項１または２の貯金箱の効果に加えて、前方側の胴体部に回転可能に垂設した軸に螺合するロック用ボルトが水平方向に回動すること、後方胴体部の垂下片の横溝に嵌脱すること、前記横溝に嵌合した前記ロック用ボルトを締め付けて前記垂下片を押圧固定してロックすることとしたため、実物の全体の形態を大きく変更する事無く、且つ目立たないように構成した効果を発揮する。
【００１８】
請求項４の考案の貯金箱は、請求項１乃至３のいずれか一項の貯金箱の効果に加えて、アンテナの一端の垂下端がアンテナ支柱の中空孔に、他端が垂直尾翼の前方端面の挿入孔に係脱可能に連係されているため、簡単な構成で目的を達成することができたものである。
【００１９】
請求項５の考案の貯金箱は、請求項１乃至４のいずれか一項の貯金箱の効果に加えて、時計の文字盤が円形であって、直径の長さを有する秒針の中央を回転軸としたため、秒針の回転がプロペラの如く看取される効果を有するものであり、秒針の回転が間欠的でなく連続した動きにすれば一層効果的である。
【００２０】
請求項６の考案の貯金箱は、請求項１乃至５のいずれか一項の貯金箱の効果に加えて、前面に扇風機の羽根を装着したものとすれば、扇風機を兼用できると共に、その羽根が飛行機のプロペラに看取できる効果を発揮するものである。
【図面の簡単な説明】
【００２１】
【図１】本考案の一実施の形態を示す側面図である。
【図２】図１において、風防を開口した状態を示す一部側面図である。
【図３】図１において、ロック手段を示す部分図である。
【図４】図１において、胴体部を開口した状態を示す側面図である。
【図５】図１において、アンテナ部分を示す一部断面図である。
【図６】図１において、胴体部の前面には装着した時計の正面図である。
【考案を実施するための形態】
【００２２】
本考案の実施の形態を図面に基づいて説明する。
図１は本考案の一実施の形態を示す側面図であり、貯金箱１は、飛行機を模した形態の容器であって、風防２が開閉可能に取り付けられた操縦室３を中空体の胴体部の前方側に設け、前記操縦室３の後方において前記胴体部が分割されている。
前後に分割された後方胴体部４は上方へ回動して分割部分を開口すると共に、分割された各胴体部の開口端部近傍に係脱可能にロック手段５が下設されている。
【００２３】
図２は風防を開口した状態を示す一部側面図であり、風防２は胴体部背面の尾翼側に設けた軸受けに軸着した連結軸２１で開閉可能に取り付けられ、上方へ回動して操縦室３の上面を開口させ、貨幣を操縦室３へ投入することができるものである。
【００２４】
図３はロック手段５を示す部分図であり、胴体部の操縦室３の腹面に吊設した燃料容器５１の後部に回転用軸５２を上下方向に垂設し、この回転用軸５２に水平方向に回動可能に螺軸５３を軸支し、この螺軸５３にロック用ナット５４が螺合している。
即ち、ロック用ナット５４は、螺合する螺軸５３と共に水平方向に回動することができ、また、螺軸５３との螺合位置を調整することで水平方向へ進退することも可能と成っている。
【００２５】
一方、後方胴体部４の分割部分の近傍には垂下片４１が下設してあり、この垂下片４１の下部に横溝４２が形成してある。
この横溝４２は、前記螺軸５３と及び前記ロック用ナット５４と関係する位置に形成されており、前記螺軸５３が水平方向に回動することで、当該横溝４２に嵌脱すると共に、前記ロック用ナット５４の螺合位置を調整することで、当該横溝４２に嵌合した状態で前記ロック用ナット５４が前記垂下片４１の後端面を押圧固定してロックできるのである。
【００２６】
そこで、図４は前後に分割した胴体部を開口した状態を示す側面図であり、ロック用ナット５４を調整して前記垂下片４１とのロックを外し、手前（図１において）の水平方向へ回動すれば前記螺軸５３と前記垂下片４１の横溝４２との関係も絶たれる。
よって、前後の分割部分の背面において互いに回動可能に軸着４３している後方胴体部４を上方へ回動して分割部を開口し、胴体部内の貨幣を回収することができる。
【００２７】
また図５に示すように、後方胴体部４にはアンテナ支柱６が、背面に起設した支持筒４４に着脱可能に立設され、垂直尾翼７との間にアンテナ８を係脱可能に連係してあり、アンテナ８は一端の垂下端がアンテナ支柱６の中空孔６１に、他端が垂直尾翼７の前方端面の挿入孔７１に係脱可能に連係されている。
したがって、前述の前後に分割した胴体部の開口時において、当該アンテナ支柱６及びアンテナ８を取り外し、図４の状態に後方胴体部４を前方側の風防２上に係止維持できる。
【００２８】
図６は胴体部の前面に装着した時計９の正面図であり、時計９の文字盤が円形であって、直径の長さを有する秒針９１の中央を回転軸９２としたものである。
秒針９１の回転がプロペラの如く看取される作用を奏するものであり、秒針９１の回転が間欠的でなく連続した動きすればプロペラを想起する作用が一層高まる。
【００２９】
また、前面に時計９に代えて扇風機の羽根を装着すれば、プロペラの如く看取され、プロペラを想起する作用が更に高まるものである。
以上のように、本考案を図面に基づいて説明した実施の形態における具体的構成は一例であり、同様の作用効果を得られる他の構成又は手段を排除するものではない。
【符号の説明】
【００３０】
１    貯金箱
２    風防
２１  連結軸
３    操縦室
４    後方胴体部
４１  垂下片
４２  横溝
４３  軸着
４４  支持筒
５    ロック手段
５１  燃料容器
５２  回転用軸
５３  螺軸
５４  ロック用ナット
６    アンテナ支柱
６１  中空孔
７    垂直尾翼
７１  挿入孔
８    アンテナ
９    時計
９１  秒針
９２  回転軸
【図１】
0003186987.tif 000003
【図２】
0003186987.tif 000004
【図３】
0003186987.tif 000005
【図４】
0003186987.tif 000006
【図５】
0003186987.tif 000007
【図６】
0003186987.tif 000008